(57)【要約】【課題】  画像表示部のある正面以外の面にスピーカが設けられた携帯端末を、卓上ホルダに保持した状態で表示画面を見ながら音楽等を聴く際に、十分な音量や高品質の音質で音声を聴くことができるようにする。【解決手段】  画像表示部２が設けられた面を正面としてこの正面以外の面にスピーカ３Ｌ，３Ｒが設けられた携帯端末１を、正面を観察側に向けて保持する卓上ホルダ３１に、スピーカ３Ｒ，３Ｌから発生して正面以外の方向に向かう音のうちの少なくとも一部を正面方向に向かわせる方向変換手段３４を備える。【選択図】  図５
2005136895.tif 000002
【特許請求の範囲】
【請求項１】
画像表示部が設けられた面を正面として少なくとも該正面以外の面にスピーカが設けられた携帯端末を、前記正面を観察側に向けて保持する卓上ホルダにおいて、
前記スピーカから発生して前記正面以外の方向に向かう音のうちの少なくとも一部を、前記正面方向に向かわせる方向変換手段
を備えたことを特徴とする卓上ホルダ。
【請求項２】
請求項１に記載の卓上ホルダにおいて、
前記方向変換手段は、前記携帯端末を保持したときの前記スピーカの位置に対応した位置に設けられ、前記スピーカから発生した音を前記正面方向に導く部材であることを特徴とする卓上ホルダ。
【請求項３】
請求項２に記載の卓上ホルダにおいて、
前記方向変換手段は、前記スピーカから発生して前記携帯端末の背面方向に向かう音を反射する反射板であることを特徴とする卓上ホルダ。
【請求項４】
請求項３に記載の卓上ホルダにおいて、
前記反射板は、前記スピーカを前記携帯端末の背面方向から前記正面方向にかけて覆う形状をしていることを特徴とする卓上ホルダ。
【請求項５】
請求項１に記載の卓上ホルダにおいて、
前記方向変換手段は、前記携帯端末を保持したときの前記スピーカの位置に対応した位置に設けられ、前記スピーカから発生した音を前記正面方向に導く管状の部材であることを特徴とする卓上ホルダ。
【請求項６】
請求項１に記載の卓上ホルダにおいて、
前記携帯端末は、左右の側面にそれぞれスピーカが存在しており、
前記スピーカから発生した音が前記携帯端末の背面に回り込むことを抑制する回り込み抑制手段をさらに備えたことを特徴とする卓上ホルダ。
【請求項７】
請求項６に記載の卓上ホルダにおいて、
前記携帯端末を保持するときに前記携帯端末をガイドする部材を備えており、該部材が前記回り込み抑制手段を兼ねていることを特徴とする卓上ホルダ。
【請求項８】
請求項７に記載の卓上ホルダにおいて、
前記部材はレール状の部材であることを特徴とする卓上ホルダ。
【請求項９】
請求項１に記載の卓上ホルダにおいて、
前記携帯端末に設けられた前記スピーカは、前記画像表示部が設けられた面を正面として側面に設けられていることを特徴とする卓上ホルダ。
【請求項１０】
請求項１に記載の卓上ホルダにおいて、
外部から供給される電源電圧を前記携帯端末の充電端子に供給する端子
をさらに備えたことを特徴とする卓上ホルダ。
【請求項１１】
画像表示部が設けられた面を正面として左右の側面にそれぞれスピーカが設けられた携帯端末を、前記正面を観察側に向けて保持する卓上ホルダにおいて、
前記携帯端末を保持したときの前記スピーカの位置に対応した位置に設けられ、前記スピーカから発生して前記携帯端末の背面方向に向かう音を反射する反射板と、
前記携帯端末を保持するときに前記携帯端末をガイドするとともに、前記携帯端末を保持したとき、前記スピーカから発生した音が前記背面に回り込むことを抑制するレール状の部材と、
外部から供給される電源電圧を前記携帯端末の充電端子に供給する端子と
を備えたことを特徴とする卓上ホルダ。
【請求項１２】
映像及び音声を視聴する視聴システムにおいて、
画像表示部が設けられた面を正面として少なくとも該正面以外の面にスピーカが設けられた携帯端末と、
前記携帯端末を、前記正面を観察側に向けて保持する卓上ホルダとを具備し、
前記卓上ホルダは、
前記スピーカから発生して前記正面以外の方向に向かう音のうちの少なくとも一部を、前記正面方向に向かわせる方向変換手段
を備えたことを特徴とする視聴システム。
【発明の詳細な説明】
【技術分野】
【０００１】
本願発明は、携帯端末を保持する卓上ホルダ、及び、携帯端末を卓上ホルダに保持して映像及び音声を視聴するシステムに関する。
【背景技術】
【０００２】
近年、携帯電話機には、通話機能やメール送受信機能だけでなく、画像を表示する機能や、着信メロディ・音楽等を再生する機能を有するものが登場している。そうした携帯電話機は、単に携帯した状態で通話やメールのために用いるだけでなく、家庭内等において、卓上ホルダに保持した状態で、表示画面を見ながら着信メロディ・音楽等を聴くために用いるというように用途が広がっていくことが考えられる。
【０００３】
図１２は、携帯電話機用の従来の卓上ホルダの構成例を示す斜視図である。この卓上ホルダは、充電等のために携帯電話機を保持するためのものであり、携帯電話機を挿入して保持するポケット５３が形成された上ケース５１と、上ケース５１を指示する下ケース５２とで構成されている（例えば、特許文献１参照。）。
【０００４】
ユーザーは、この卓上ホルダに携帯電話機を保持した状態で表示画面を見ながら着信メロディ・音楽等を聴こうとする場合は、携帯電話機を、液晶ディスプレイのような画像表示部が存在する面を卓上ホルダの手前（図では卓上ホルダの斜め左前方）に向けるようにして卓上ホルダに保持し、卓上ホルダの手前側から表示画面を見ることになる。
【特許文献１】特開２００２−３３８１４号公報（段落番号００１８、図１）
【発明の開示】
【発明が解決しようとする課題】
【０００５】
ところで、着信メロディ・音楽等を再生する機能を有する携帯電話機において、それらの音声を発生するスピーカを画像表示部のある正面以外の面に設けた場合には、従来の図１２のような卓上ホルダでは、画像表示部を視認するユーザーが十分な音量や高品質の音質で音声を聴くことができなくなってしまう。
【０００６】
本願発明は、上述の点に鑑み、画像表示部のある正面以外の面にスピーカが設けられた携帯端末を、卓上ホルダに保持した状態で表示画面を見ながら音楽等を聴く際に、十分な音量や高品質の音質で音声を聴くことができるようにすることを課題としてなされたものである。
【課題を解決するための手段】
【０００７】
この課題を解決するために、本願発明は、画像表示部が設けられた面を正面としてこの正面以外の面にスピーカが設けられた携帯端末を、正面を観察側に向けて保持する卓上ホルダにおいて、このスピーカから発生して正面以外の方向に向かう音のうちの少なくとも一部を正面方向に向かわせる方向変換手段を備えたことを特徴とする。
【０００８】
この卓上ホルダでは、携帯端末を保持したとき、携帯端末の正面以外の面に設けられたスピーカから発生して正面（観察側を向いている、画像表示部のある面）以外の方向に向かう音のうちの少なくとも一部が、方向変換手段によって方向を変えられて正面方向に向かう。
【０００９】
これにより、スピーカから正面方向に向かう音が増加するので、表示画面を見ながら音楽等を聴く際に、十分な音量や高品質の音質で音声を聴くことができるようになる。
【００１０】
なお、携帯端末の左右の側面にそれぞれスピーカが存在している場合には、一例として、この卓上ホルダに、それらのスピーカから発生した音が携帯端末の背面に回り込むことを抑制する回り込み抑制手段をさらに備えることが好適である。
【００１１】
携帯端末の左右の側面にそれぞれスピーカが存在している場合に、このような回り込みが起こると、２つのスピーカから発生した音が互いに干渉することによって音量の減少や音質の低下を招くことがある。そこで、この回り込みを抑制する手段を備えることにより、そうした干渉が抑制されるので、より一層十分な音量や高品質の音質で音声を聴くことができるようになる。
【００１２】
次に、本願発明は、画像表示部が設けられた面を正面として左右の側面にそれぞれスピーカが設けられた携帯端末を、正面を観察側に向けて保持する卓上ホルダにおいて、携帯端末を保持したときのスピーカの位置に対応した位置に設けられ、スピーカから発生して携帯端末の背面方向に向かう音を反射する反射板と、携帯端末を保持するときに携帯端末をガイドするとともに、携帯端末を保持したときスピーカから発生した音が背面に回り込むことを抑制するレール状の部材と、外部から供給される電源電圧を携帯端末の充電端子に供給する端子とを備えたことを特徴とする。
【００１３】
この卓上ホルダでは、携帯端末を保持したとき、左右の側面のスピーカから発生して背面方向に向かう音が、反射板で反射されて正面（観察側を向いている、画像表示部のある面）方向に向かう。したがって、スピーカから携帯端末の正面方向に向かう音が増加する。
【００１４】
また、それらのスピーカから発生した音が背面に回り込むことによって互いに干渉することが、携帯端末のガイド用部材を兼ねたレール状の部材によって抑制される。
【００１５】
これにより、表示画面を見ながら音楽等を聴く際に、十分な音量や高品質の音質で音声を聴くことができるようになる。
【００１６】
次に、本願発明は、映像及び音声を視聴する視聴システムにおいて、画像表示部が設けられた面を正面として少なくともこの正面以外の面にスピーカが設けられた携帯端末と、この携帯端末を正面を観察側に向けて保持する卓上ホルダとを具備し、この卓上ホルダは、このスピーカから発生して正面以外の方向に向かう音のうちの少なくとも一部を正面方向に向かわせる方向変換手段を備えたことを特徴とする。
【００１７】
この視聴システムでは、卓上ホルダに保持された携帯端末のスピーカから発生して正面（観察側を向いている、画像表示部のある面）以外の方向に向かう音のうちの少なくとも一部が、方向変換手段によって方向を変えられて正面方向に向かう。
【００１８】
これにより、スピーカから正面方向に向かう音が増加するので、表示画面を見ながら音楽等を聴く際に、十分な音量や高品質の音質で音声を聴くことができるようになる。
【発明の効果】
【００１９】
本願発明によれば、 画像表示部のある正面以外の面にスピーカが設けられた携帯端末を、卓上ホルダに保持した状態で表示画面を見ながら音楽等を聴く際に、十分な音量や高品質の音質で音声を聴くことができるという効果が得られる。
【発明を実施するための最良の形態】
【００２０】
以下、携帯電話機用の卓上ホルダに本願発明を適用した例について、図面を用いて具体的に説明する。図１は、本願発明による卓上ホルダで保持する対象となる携帯電話機の外観を略示する斜視図である。
【００２１】
この携帯電話機１は、画像表示部であるＬＣＤ（液晶ディスプレイ）２が設けられるとともに、このＬＣＤ２が設けられた面を正面として、左右の側面にそれぞれステレオ再生用のスピーカ３Ｌ，３Ｒが設けられている（図でスピーカ３Ｌは表れていないが、左側の側面において、スピーカ３Ｒの位置に対応する位置にスピーカ３Ｌが設けられている）。画像表示部は、ＬＣＤ以外にも、ＯＬＥＤ（有機ＥＬディスプレイ），ＰＤＰ（プラズマディスプレイ），ＦＥＤ（フィールドシーケンシャルディスプレイ）等の様々の表示装置を適用することができる。
【００２２】
ＬＣＤ２は、各種の情報や文字を表示するだけでなく、画像を表示するためにも用いられる。スピーカ３Ｌ，３Ｒは、着信メロディ・音楽等を再生するために用いられる。
【００２３】
携帯電話機１の正面には、メールキー４，終了キー５，クリアキー６，ディスク状のジョグダイヤル７，電源キー８，開始キー（発信と着信時の応答を行うキー）９，インターネット接続キー１０，その他のキー群（テンキー等）１１や、通話用のスピーカ１２及びマイクロホン１３も設けられている。
【００２４】
図示は省略するが、携帯電話機１の上面には可動式アンテナが収納されており、携帯電話機１の背面にはＣＣＤカメラが設けられている。
【００２５】
携帯電話機１は、ＬＣＤ２等が設けられた電話機上部１ａと、スピーカ３Ｌ，３Ｒ等が設けられた電話機下部１ｂとを、正面に平行な面内で互いに回転させることにより、図２に示すように、ＬＣＤ２を表側に向けて折り畳むことができる。図示は省略するが、携帯電話機１には、このように折り畳んだ状態で底面に該当する位置に、充電用の端子が設けられている。
【００２６】
携帯電話機１の回路構成は、着信メロディ・音楽等を再生するスピーカ３Ｌ，３Ｒが通話用のスピーカ１２とは別に設けられている点を除いては通常の携帯電話機と同様であり、その概要を示すと図３の通りである。制御部２１，通信処理部２２，ＬＣＤ駆動部２３（図１のＬＣＤ２を駆動する回路），操作部２４（図１の各キー及びジョグダイヤル７），カメラ部２５（ＣＣＤカメラとその制御回路），メモリ２６は各々制御ライン２７と接続されているとともに、通信処理部２２，スピーカ３Ｌ，３Ｒ，１２（図１），マイクロホン１３（図１），ＬＣＤ駆動部２３，カメラ部２５，メモリ２６は各々データライン２８と接続されている。
【００２７】
音声や画像の送信時には、マイクロホン１３やカメラ部２５やメモリ２６からのデータが、データライン２７を介して通信処理部２２に送られ、制御部２１の制御のもとで符号化・変調・アップコンバートされてアンテナ２９（前述の可動式アンテナ）から送信される。
【００２８】
他方、音声や画像の受信時には、アンテナ２９で受信されたデータが、制御部２１の制御のもとで通信処理部２２によってダウンコンバート・復調・復号化され、データライン２７を介してスピーカ３Ｌ，３Ｒ，１２やＬＣＤ駆動部２３に送られる。
【００２９】
次に、図４は、本願発明の卓上ホルダの構成例を示す斜視図である。この卓上ホルダ３１は、図２のように折り畳んだ携帯電話機１を保持するものであり、携帯電話機１の底部を挿入するためのポケット３２を形成したホルダ下部３１ａに、携帯電話機１の背面を支える背もたれのような形状のホルダ上部３１ｂが固定して取り付けられている。
【００３０】
ホルダ上部３１ｂには、上下方向に延びた２本のガイドレール３３が形成されるとともに、各ガイドレール３３の外側に沿ってそれぞれ平板状の音響反射板３４が形成されている。卓上ホルダ３１は樹脂製であり、ホルダ上部３１ｂにはＡＢＳ樹脂が用いられている。
【００３１】
ホルダ下部３１ａには、携帯電話機１を充電するＡＣアダプタ（図示略）を差し込むための端子３５が側面に設けられるとともに、このＡＣアダプタから供給される電源電圧を携帯電話機１に供給する（折り畳んだ携帯電話機１の底面の充電用端子に差し込む）ための端子３６がポケット３２に設けられている。
【００３２】
この卓上ホルダ３１に携帯電話機１を保持するときには、図２のように折り畳んだ携帯電話機１を、正面を手前（図の斜め左前方）に向け、背面をガイドレール３３でガイドさせながらポケット３２に挿入し、端子３６を携帯電話機１の充電用端子に差し込む。
【００３３】
図５は、卓上ホルダ３１に携帯電話機１を保持した状態を示す斜視図である。音響反射板３４は、携帯電話機１を保持したときのスピーカ３Ｌ，３Ｒの位置に対応した位置（スピーカ３Ｌ，３Ｒの背後）に設けられており、上下方向の長さはスピーカ３Ｌ，３Ｒよりも長くなっている。
【００３４】
図６は、このように卓上ホルダ３１に携帯電話機１を保持した状態で、携帯電話機１のスピーカ３Ｌ，３Ｒで着信メロディ・音楽等が再生される際に、スピーカ３Ｌ，３Ｒから発生した音の方向の一例を示す図（携帯電話機１を上側から見た図）である。
【００３５】
携帯電話機１の側面のスピーカ３Ｌ，３Ｒで着信メロディ・音楽等が再生されると、矢印で示すように、スピーカ３Ｌ，３Ｒから発生して携帯電話機１の背面方向に向かう音が、音響反射板３４で反射されて、正面（手前側を向いている、ＬＣＤ２のある面）方向に向かう。したがって、スピーカ３Ｌ，３Ｒから正面方向に向かう音が増加する。これにより、携帯電話機１を卓上ホルダ３１に保持した状態で、ＬＣＤ２に表示される画像を見ながら着信メロディ・音楽等を聴く際に、十分な音量や高品質の音質で音声を聴くことができる。
【００３６】
さらに、図６にも表れているように、卓上ホルダ３１に携帯電話機１を保持した状態では、スピーカ３Ｌ，３Ｒから発生した音が携帯電話機１の背面に回り込むことが、ガイドレール３３によって抑制される。
【００３７】
このような回り込みが起こると、スピーカ３Ｌ，３Ｒから発生した音が互いに干渉することによって音量の減少や音質の低下を招くことがあるが、ガイドレール３３の存在によってそうした干渉が抑制されるので、その点でも、十分な音量や高品質の音質で音声を聴くことができる。
【００３８】
なお、以上の例では、卓上ホルダ３１に平板状の音響反射板３４を設けているが、音響反射板の形状の変更例として、図７に示すように、スピーカ３Ｌ，３Ｒを携帯電話機１の背面方向から側面方向にかけて覆うドーム形状の音響反射板４１を設けるようにしてもよい。
【００３９】
図８は、こうした音響反射板４１を設けた場合に、スピーカ３Ｌ，３Ｒから発生した音の方向の一例を示す図である。スピーカ３Ｌ，３Ｒから発生して携帯電話機１の背面方向に向かう音が、図６に示したのと同様にして音響反射板４１で反射されて正面方向に向かうだけでなく、矢印で示すように、スピーカ３Ｌ，３Ｒから発生して携帯電話機１の側面寄りの方向に向かう音も、音響反射板４１で反射されて正面方向に向かうようになる。したがって、スピーカ３Ｌ，３Ｒから正面方向に向かう音がより一層増加するようになる。
【００４０】
また、以上の例では、卓上ホルダ３１に音響反射板３４を設けているが、音響反射板に代えて、図９に示すように、スピーカ３Ｌ，３Ｒから発生した音を携帯電話機１の正面方向に導くホーン（管）状の部材４２を、携帯電話機１を保持したときのスピーカ３Ｌ，３Ｒの位置に対応した位置（開口の一端をスピーカ３Ｌ，３Ｒに対向させた位置）に設けるようにしてもよい。
【００４１】
図１０は、このホーン状部材４２の断面構造を、卓上ホルダ３１に保持した携帯電話機１とともに上側から見た図である。
【００４２】
こうしたホーン状部材４２を設けることにより、スピーカ３Ｌ，３Ｒから発生した音が、ホーン状部材４２内を通って効率よく正面方向に向かうようになるので、スピーカ３Ｌ，３Ｒから正面方向に向かう音がより一層増加するようになる。
【００４３】
なお、このホーン状部材４２は、卓上ホルダに着脱可能に取り付けられるようにしてもよい。
【００４４】
また、以上の例では、卓上ホルダ３１に充電用の端子３５及び３６を設けているが、これらの端子を設けないようにしてもよい。
【００４５】
また、以上の例では、左右の側面にステレオ再生用のスピーカを設けた携帯電話機を保持する卓上ホルダに本願発明を適用しているが、これに限らず、一方の側面にのみスピーカを設けた携帯電話機を保持する卓上ホルダにも本願発明を適用してよい。
【００４６】
また、以上の例では、側面にスピーカを設けた携帯電話機を保持する卓上ホルダに本願発明を適用しているが、これに限らず、画像表示部のある正面以外の面であって側面とは異なる面にスピーカを設けた携帯電話機を保持する卓上ホルダにも本願発明を適用してよい。
【００４７】
図１１は、画像表示部であるＬＣＤ４４が正面に設けられるとともに上面にスピーカ４５が設けられた携帯電話機４３を保持する卓上ホルダに本発明を適用した例を示す。この卓上ホルダ４６には、携帯電話機４３を保持したときのスピーカ４５の位置に対応した位置（スピーカ４５の背後）に、スピーカ４５から発生して携帯電話機４３の背面方向に向かう音を反射して正面方向に向かわせる音響反射板４７が設けられている。
【００４８】
また、以上の例では、携帯電話機を保持する卓上ホルダに本願発明を適用しているが、これに限らず、携帯電話機以外の携帯端末であって画像表示部のある正面以外の面にスピーカが設けられた携帯端末（例えばＰＤＡ，携帯型のテレビジョン受像機等）を保持する卓上ホルダにも本願発明を適用してよい。
【図面の簡単な説明】
【００４９】
【図１】本願発明による卓上ホルダで保持する対象となる携帯電話機の外観を略示する斜視図である。
【図２】図１の携帯電話機を折り畳んだ状態を示す斜視図である。
【図３】図１の携帯電話機の回路構成の概要を示すブロック図である。
【図４】本願発明の卓上ホルダの構成例を示す斜視図である。
【図５】図４の卓上ホルダに図１の携帯電話機を保持した状態を示す斜視図である。
【図６】図４の卓上ホルダに保持した携帯電話機のスピーカから発生した音の方向の一例を示す図である。
【図７】本願発明の卓上ホルダの構成の変更例を示す斜視図である。
【図８】図７の卓上ホルダに保持した携帯電話機のスピーカから発生した音の方向の一例を示す図である。
【図９】本願発明の卓上ホルダの構成の変更例を示す斜視図である。
【図１０】図９のホーン状部材の断面構造を示す図である。
【図１１】本願発明の卓上ホルダの構成の変更例を示す斜視図である。
【図１２】従来の携帯電話機用の卓上ホルダの構成例を示す斜視図である。
【符号の説明】
【００５０】
１  携帯電話機
２  ＬＣＤ
３Ｌ  スピーカ
３Ｒ  スピーカ
３１  卓上ホルダ
３３  ガイドレール
３４  音響反射板
４１  音響反射板
４２  ホーン状部材
【図１】
2005136895.tif 000003
【図２】
2005136895.tif 000004
【図３】
2005136895.tif 000005
【図４】
2005136895.tif 000006
【図５】
2005136895.tif 000007
【図６】
2005136895.tif 000008
【図７】
2005136895.tif 000009
【図８】
2005136895.tif 000010
【図９】
2005136895.tif 000011
【図１０】
2005136895.tif 000012
【図１１】
2005136895.tif 000013
【図１２】
2005136895.tif 000014